(57)【要約】【課題】同期信号の周波数が多少変動した際に、同期信号の代わりになる信号が出力されることを抑制可能な技術を提供する。【解決手段】画像処理装置は、画像情報の処理タイミングに応じた同期信号に関する判定期間を決定する決定部と、判定期間において同期信号を受信しなかった場合、タイミング信号を出力する信号出力部と、タイミング信号に応じて処理タイミングを制御する制御部と、を含む。【選択図】図２
2018157348.tif 000002
【特許請求の範囲】
【請求項１】
画像情報の処理タイミングに応じた同期信号に関する判定期間を決定する決定部と、
前記判定期間において前記同期信号を受信しなかった場合、タイミング信号を出力する信号出力部と、
前記タイミング信号に応じて前記処理タイミングを制御する制御部と、を含むことを特徴とする画像処理装置。
【請求項２】
前記信号出力部は、前記判定期間において前記同期信号を受信した場合、前記同期信号を出力し、
前記制御部は、前記信号出力部が前記タイミング信号を出力した場合には、前記タイミング信号に応じて前記処理タイミングを制御し、前記信号出力部が前記同期信号を出力した場合には、前記同期信号に応じて前記処理タイミングを制御することを特徴とする請求項１に記載の画像処理装置。
【請求項３】
前記同期信号の周期性に関する値を計測する計測部をさらに含み、
前記決定部は、前記計測部の計測結果に基づいて、前記判定期間を決定することを特徴とする請求項１または２に記載の画像処理装置。
【請求項４】
前記同期信号の周期性に関する値は、前記同期信号の周波数であることを特徴とする請求項３に記載の画像処理装置。
【請求項５】
前記決定部は、前記同期信号の周波数の平均値から第１所定値を減算した値を用いて、前記判定期間の終了タイミングを決定することを特徴とする請求項４に記載の画像処理装置。
【請求項６】
前記決定部は、前記同期信号の周波数の平均値に第２所定値を加算した値を用いて、前記判定期間の開始タイミングを決定することを特徴とする請求項４または５に記載の画像処理装置。
【請求項７】
前記信号出力部の出力を遅延する遅延部をさらに含み、
前記制御部は、前記遅延部が遅延した前記信号出力部の出力に応じて、前記処理タイミングを制御することを特徴とする請求項１から６のいずれか１項に記載の画像処理装置。
【請求項８】
請求項１から７のいずれか１項に記載の画像処理装置を含むことを特徴とする表示装置。
【請求項９】
画像情報の処理タイミングに応じた同期信号に関する判定期間を決定するステップと、
前記判定期間において前記同期信号を受信しなかった場合、タイミング信号を出力するステップと、
前記タイミング信号が出力された場合、前記タイミング信号に応じて、前記処理タイミングを制御するステップと、を含むことを特徴とする画像処理方法。
【発明の詳細な説明】
【技術分野】
【０００１】
本発明は、画像処理装置、表示装置および画像処理方法に関する。
【背景技術】
【０００２】
画像処理装置は、画像情報と同期信号とを受信し、同期信号に応じたタイミングで画像情報を処理する。特許文献１には、正常なタイミングで同期信号を受信しなかった場合に、同期信号の代わりになる信号を出力する画像処理装置が記載されている。
【先行技術文献】
【特許文献】
【０００３】
【特許文献１】特開２０１１−４１０７号公報
【発明の概要】
【発明が解決しようとする課題】
【０００４】
同期信号の周期性に関する特性（例えば、同期信号の周波数）は、同期信号が伝送される伝送路等の影響で多少変動する。特許文献１に記載の画像処理装置は、正常なタイミングで同期信号を受信できない場合、同期信号の代わりになる信号を出力する。このため、この画像処理装置は、同期信号の周波数が伝送路等の影響で多少変動した場合、同期信号の代わりになる信号を出力してしまう。
【０００５】
本発明は上述した事情に鑑みてなされたものであり、同期信号の周波数が多少変動した際に、同期信号の代わりになる信号が出力されることを抑制可能な技術を提供することを解決課題とする。
【課題を解決するための手段】
【０００６】
本発明に係る画像処理装置の一態様は、画像情報の処理タイミングに応じた同期信号に関する判定期間を決定する決定部と、前記判定期間において前記同期信号を受信しなかった場合、タイミング信号を出力する信号出力部と、前記タイミング信号に応じて前記処理タイミングを制御する制御部と、を含むことを特徴とする。
この態様によれば、同期信号の周波数が多少変動しても、同期信号の代わりになるタイミング信号が出力されることを抑制可能になる。
【０００７】
上述した画像処理装置の一態様において、前記信号出力部は、前記判定期間において前記同期信号を受信した場合、前記同期信号を出力し、前記制御部は、前記信号出力部が前記タイミング信号を出力した場合には、前記タイミング信号に応じて前記処理タイミングを制御し、前記信号出力部が前記同期信号を出力した場合には、前記同期信号に応じて前記処理タイミングを制御することが望ましい。この態様によれば、例えば、同期信号が消失しても、信号出力部の出力によって処理タイミングを制御することが可能になる。
【０００８】
上述した画像処理装置の一態様において、前記同期信号の周期性に関する値を計測する計測部をさらに含み、前記決定部は、前記計測部の計測結果に基づいて、前記判定期間を決定することが望ましい。この態様によれば、同期信号の周期性に基づいて判定期間を決定することが可能になる。
【０００９】
上述した画像処理装置の一態様において、前記同期信号の周期性に関する値は、前記同期信号の周波数であることが望ましい。この態様によれば、同期信号の周波数に基づいて判定期間を決定することが可能になる。
【００１０】
上述した画像処理装置の一態様において、前記決定部は、前記同期信号の周波数の平均値から第１所定値を減算した値を用いて、前記判定期間の終了タイミングを決定することが望ましい。この態様によれば、第１所定値に応じて判定期間の終了タイミングを調整することが可能になる。
【００１１】
上述した画像処理装置の一態様において、前記決定部は、前記同期信号の周波数の平均値に第２所定値を加算した値を用いて、前記判定期間の開始タイミングを決定することが望ましい。この態様によれば、第２所定値に応じて判定期間の開始タイミングを調整することが可能になる。
【００１２】
上述した画像処理装置の一態様において、前記信号出力部の出力を遅延する遅延部をさらに含み、前記制御部は、前記遅延部が遅延した前記信号出力部の出力に応じて、前記処理タイミングを制御することが望ましい。この態様によれば、信号出力部の出力を必要に応じて遅延させることが可能になる。
【００１３】
本発明に係る表示装置の一態様は、上述した画像処理装置を含むことを特徴とする。この態様によれば、表示装置において、同期信号の周波数が多少変動しても、同期信号の代わりになるタイミング信号が出力されることを抑制可能になる。
【００１４】
本発明に係る画像処理方法の一態様は、画像情報の処理タイミングに応じた同期信号に関する判定期間を決定するステップと、前記判定期間において前記同期信号を受信しなかった場合、タイミング信号を出力するステップと、前記タイミング信号が出力された場合、前記タイミング信号に応じて、前記処理タイミングを制御するステップと、を含むことを特徴とする。
この態様によれば、同期信号の周波数が多少変動しても、同期信号の代わりになるタイミング信号が出力されることを抑制可能になる。
【図面の簡単な説明】
【００１５】
【図１】第１実施形態に係る画像処理装置１００を示した図である。
【図２】同期処理部８の一例を示した図である。
【図３】判定期間Ｔを説明するための図である。
【図４】プロジェクターの一例を示した図である。
【図５】比較例１を示した図である。
【図６】比較例２を示した図である。
【図７】比較例３を示した図である。
【発明を実施するための形態】
【００１６】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１７】
＜第１実施形態＞
図１は、第１実施形態に係る画像処理装置１００を示した図である。
画像処理装置１００は、例えば、プロジェクター等の表示装置に内蔵される。画像処理装置１００は、入力部１と、画像処理部２と、メモリー書込み部３と、メモリー４と、メモリー読出し部５と、画像変形部６と、メモリー書込み部７と、同期処理部８と、フレームレート制御部９と、メモリー読出し部１０と、信号消失検出部１１と、ＣＰＵ（Central Processing Unit）１２と、を含む。
【００１８】
メモリー書込み部３および７は、画像を示す画像情報Ｉを、フレームメモリー等のメモリー４に展開する。メモリー読出し部５は、メモリー書込み部３がメモリー４に展開し画像処理が施された画像情報Ｉを読み出す。メモリー読出し部１０は、メモリー書込み部７がメモリー４に展開し変形処理が施された画像情報Ｉを読み出す。
【００１９】
入力部１は、例えばケーブルを介して、画像情報Ｉと、画像情報Ｉの処理タイミングに応じた同期信号Ｓｙｎｃと、を受け取る。同期信号Ｓｙｎｃは、水平同期信号ＨＳｙｎｃと、垂直同期信号ＶＳｙｎｃと、を含む。
【００２０】
画像処理部２は、メモリー書込み部３を用いて、同期信号Ｓｙｎｃに応じたタイミングで画像情報Ｉをメモリー４に展開し、メモリー４に展開された画像情報Ｉに画像処理（例えば、デジタルズーム処理、色合い補正処理、輝度補正処理、シャープネス調整処理等）を施す。画像処理は、デジタルズーム処理、色合い補正処理、輝度補正処理、シャープネス調整処理に限らず、適宜変更可能である。また、画像処理部２は、メモリー読出し部５を用いて、同期信号Ｓｙｎｃに応じたタイミングでメモリー４から画像情報Ｉ（画像処理が施された画像情報Ｉ）を読み出す。
【００２１】
画像変形部６は、メモリー書込み部７を用いて、同期信号Ｓｙｎｃに応じたタイミングで画像情報Ｉをメモリー４に展開し、メモリー４に展開された画像情報Ｉに変形処理（例えば、台形歪補正処理等）を施す。変形処理は、台形歪補正処理に限らず適宜変更可能である。
【００２２】
同期処理部８は、電子回路等のハードウェア（例えば、同期処理回路）で構成される。同期処理部８は、同期信号である垂直同期信号ＶＳｙｎｃの有無を判定するための判定期間において、入力部１を介して垂直同期信号ＶＳｙｎｃを受信した場合には、垂直同期信号ＶＳｙｎｃを、出力同期信号ＶＳｙｎｃＯとして出力する。
同期処理部８は、判定期間において垂直同期信号ＶＳｙｎｃを受信しなかった場合、タイミング信号ＴＳｙｎｃを生成し、タイミング信号ＴＳｙｎｃを出力同期信号ＶＳｙｎｃＯとして出力する。
また、同期処理部８は、判定期間において垂直同期信号ＶＳｙｎｃを受信しなかった場合、同期信号Ｓｙｎｃが消失したことを示す消失情報Ｄを出力する。
同期処理部８の詳細については後述する。
【００２３】
フレームレート制御部９は、制御部の一例である。フレームレート制御部９は、出力同期信号ＶＳｙｎｃＯに応じて、画像情報Ｉの処理タイミングを制御する。具体的には、フレームレート制御部９は、メモリー４において画像変形部６が変形処理を施した画像情報Ｉを、メモリー読出し部１０を用いて、出力同期信号ＶＳｙｎｃＯに応じたタイミングで読み出す。
なお、フレームレート制御部９は、消失情報Ｄを所定時間以上継続して受信した場合、画像情報Ｉの読み出しを中断してもよい。
本実施形態では、フレームレート制御部９は画像変形部６と一体に構成されている。
【００２４】
信号消失検出部１１は、ソフトウェア（プログラム）を実行することによって、同期信号Ｓｙｎｃ、具体的には垂直同期信号ＶＳｙｎｃの消失を検出する。信号消失検出部１１は、垂直同期信号ＶＳｙｎｃの消失を検出すると、消失通知をＣＰＵ１２に出力する。
【００２５】
ＣＰＵ１２は、ソフトウェアを実行することによって種々の動作を実行する。例えば、ＣＰＵ１２は、消失通知を受け取ると、垂直同期信号ＶＳｙｎｃが消失したことを利用者に知らせる表示を、不図示の表示部（例えば、投射部）に実行させる。
【００２６】
図２は、同期処理部８の一例を示した図である。同期処理部８は、周波数計測部１０１と、設定部１０２と、信号出力部１０３と、遅延部１０４と、を含む。
【００２７】
周波数計測部１０１は、計測部の一例であり、ハードウェア、例えば、ＦＰＧＡ（field programmable gate array）またはＡＳＩＣ（Application Specific IC）等の電子回路（例えば、周波数計測回路）で構成される。周波数計測部１０１は、同期信号Ｓｙｎｃの周波数、具体的には、垂直同期信号ＶＳｙｎｃの周波数を計測する。同期信号Ｓｙｎｃの周波数（垂直同期信号ＶＳｙｎｃの周波数）は、同期信号の周期性に関する値の一例である。
【００２８】
設定部１０２は、決定部の一例であり、ハードウェア、例えば、ＦＰＧＡまたはＡＳＩＣ等の電子回路（例えば、設定回路）で構成される。設定部１０２は、垂直同期信号ＶＳｙｎｃの有無を判定するための判定期間を決定する。設定部１０２は、決定した判定期間を信号出力部１０３に設定する。
【００２９】
信号出力部１０３は、ハードウェア、例えば、ＦＰＧＡまたはＡＳＩＣ等の電子回路（例えば、信号出力回路）で構成される。信号出力部１０３は、判定期間において垂直同期信号ＶＳｙｎｃを受信した場合には、垂直同期信号ＶＳｙｎｃを出力同期信号ＶＳｙｎｃＯとして出力する。また、信号出力部１０３は、判定期間において垂直同期信号ＶＳｙｎｃを受信しなかった場合には、タイミング信号ＴＳｙｎｃを生成し、タイミング信号ＴＳｙｎｃを出力同期信号ＶＳｙｎｃＯとして出力する。
【００３０】
遅延部１０４は、ハードウェア、例えば、ＦＰＧＡまたはＡＳＩＣ等の電子回路（例えば、遅延回路）で構成される。遅延部１０４は、信号出力部１０３の出力である出力同期信号ＶＳｙｎｃＯを遅延する。遅延部１０４での遅延量は、垂直同期信号ＶＳｙｎｃが画像処理部２を通るときに生じる遅延量に応じて設定される。例えば、遅延部１０４での遅延量は、垂直同期信号ＶＳｙｎｃが画像処理部２に入力されてから画像処理部２から出力されるまでに要する時間（画像処理部２での遅延量）に設定される。
【００３１】
次に、同期処理部８の動作について説明する。
周波数計測部１０１は、入力部１を介して入力される垂直同期信号ＶＳｙｎｃの周波数を、画像情報Ｉの複数フレーム（例えば、数十フレーム）の各々で計測する。なお、垂直同期信号ＶＳｙｎｃの周波数の計測期間は、画像情報Ｉの数十フレームに限らず適宜変更可能である。続いて、周波数計測部１０１は、計測した垂直同期信号ＶＳｙｎｃの周波数の平均値Ａを算出する。続いて、周波数計測部１０１は、平均値Ａを設定部１０２に出力する。
【００３２】
設定部１０２は、平均値Ａを受け取ると、平均値Ａと、不図示のレジスターに事前に格納されていた第１所定値および第２所定値と、を用いて、判定期間を決定する。
【００３３】
図３は、判定期間Ｔを説明するための図である。
設定部１０２は、平均値Ａから第１所定値を減算した値（以下「Ｍｉｎ周波数」とも称する）を用いて、判定期間Ｔの終了タイミングＴｅを決定する。図３に示した例では、設定部１０２は、基準タイミング（直前の出力同期信号ＶＳｙｎｃＯの出力タイミング）Ｔｆから、Ｍｉｎ周波数の逆数によって決定される期間Ｔ１が経過したタイミングを、判定期間Ｔの終了タイミングＴｅとして決定する。
【００３４】
また、設定部１０２は、平均値Ａに第２所定値を加算した値（以下「Ｍａｘ周波数」とも称する）を用いて、判定期間Ｔの開始タイミングＴｓを決定する。図３に示した例では、設定部１０２は、基準タイミングＴｆから、Ｍａｘ周波数の逆数によって決定される期間Ｔ２が経過したタイミングを、判定期間Ｔの開始タイミングＴｓとして決定する。
【００３５】
続いて、設定部１０２は、判定期間Ｔを信号出力部１０３に設定する。例えば、設定部１０２は、開始タイミングＴｓを示す開始タイミング情報と終了タイミングＴｅを示す終了タイミング情報とを信号出力部１０３に出力することによって、判定期間Ｔを信号出力部１０３に設定する。
【００３６】
信号出力部１０３は、基準タイミングＴｆ以降で開始タイミングＴｓよりも前の期間（期間Ｔ２）において何らかの信号を受信しても、出力同期信号ＶＳｙｎｃＯを出力しない。このため、信号出力部１０３が、期間Ｔ２において例えばノイズを受信した場合に、このノイズを垂直同期信号ＶＳｙｎｃと判断して出力同期信号ＶＳｙｎｃＯを出力してしまうことを抑制できる。
【００３７】
信号出力部１０３は、判定期間Ｔ内で垂直同期信号ＶＳｙｎｃを受信した場合、垂直同期信号ＶＳｙｎｃを出力同期信号ＶＳｙｎｃＯとして出力する。このため、垂直同期信号ＶＳｙｎｃの周波数が多少変動しても、同期信号の代わりになるタイミング信号ＴＳｙｎｃが出力されることを抑制可能になる。
【００３８】
信号出力部１０３は、基準タイミングＴｆ以降で終了タイミングＴｅ以前の期間（期間Ｔ１）において垂直同期信号ＶＳｙｎｃを受信しなかった場合、終了タイミングＴｅに応じてタイミング信号ＴＳｙｎｃを生成し、タイミング信号ＴＳｙｎｃを出力同期信号ＶＳｙｎｃＯとして出力する。このため、例えば、入力部１に接続されていたケーブルが外れて、信号出力部１０３に垂直同期信号ＶＳｙｎｃが入力されなくなっても、タイミング信号ＴＳｙｎｃを出力同期信号ＶＳｙｎｃＯとして出力することが可能になる。
【００３９】
また、信号出力部１０３は、期間Ｔ１において垂直同期信号ＶＳｙｎｃを受信しなかった場合、消失情報Ｄを出力する。
【００４０】
遅延部１０４は、出力同期信号ＶＳｙｎｃＯを遅延してフレームレート制御部９に出力する。なお、遅延部１０４は、出力同期信号ＶＳｙｎｃＯと同様に、消失情報Ｄも遅延してフレームレート制御部９に出力する。
【００４１】
フレームレート制御部９は、メモリー４において画像変形部６が変形処理を施した画像情報Ｉを、メモリー読出し部１０を用いて、出力同期信号ＶＳｙｎｃＯに応じたタイミングで読み出す。
【００４２】
本実施形態に係る画像処理装置１００および画像処理方法によれば、垂直同期信号ＶＳｙｎｃの周波数が多少変動しても、同期信号の代わりになるタイミング信号ＴＳｙｎｃが出力されることを抑制可能になる。
【００４３】
本実施形態に係る画像処理装置１００は、図４に示すように、プロジェクター等の表示装置に用いられてもよい。図４に示したプロジェクター（表示装置）は、画像処理装置１００と投射部２００とを含む。投射部２００は、画像処理装置１００が出力した画像情報Ｉを、画像処理装置１００が出力した同期信号Ｓｙｎｃを用いて投射面（不図示）に表示する。
【００４４】
本実施形態では、同期処理部８がハードウェアによって構成されているため、同期処理部８が有する機能を、ソフトウェアを用いて実現する構成に比べて、処理時間を短くすることが可能になる。
【００４５】
＜比較例１＞
図５は、同期処理部８が有する機能の一部がソフトウェアを用いて実現された画像処理装置１００Ａを、比較例１として示した図である。図５において、図１に示したものと同一構成のものには同一符号を付してある。
【００４６】
画像処理装置１００Ａでは、画像処理装置１００が有する要素に対して、同期処理部８が省略され、メモリー書込み部１３と、メモリー読出し部１４と、自走同期信号生成部１５と、切替部１６が追加されている。
【００４７】
画像変形部６は、メモリー読出し部１０を用いて、同期信号Ｓｙｎｃに応じたタイミングでメモリー４から画像情報Ｉを読み出す。
フレームレート制御部９は、メモリー書込み部１３を用いて同期信号Ｓｙｎｃに応じたタイミングで画像情報Ｉをメモリー４に展開し、メモリー読出し部１４を用いて垂直同期信号ＶＳｙｎｃに応じたタイミングでメモリー４から画像情報Ｉを読み出す。自走同期信号生成部１５は、垂直同期信号ＶＳｙｎｃの代わりになる同期信号を生成する。
ＣＰＵ１２は、信号消失検出部１１から消失通知を受け取ると、切替部１６に切替指示を出力する。切替部１６は、ＣＰＵ１２から切替指示を受け取っていない場合には、画像変形部６から入力される垂直同期信号ＶＳｙｎｃをフレームレート制御部９に出力する。一方、ＣＰＵ１２から切替指示を受け取っている場合には、自走同期信号生成部１５が生成した同期信号をフレームレート制御部９に出力する。
【００４８】
ここで、信号消失検出部１１およびＣＰＵ１２は、ソフトウェアを実行することで動作するため、本実施形態のようにハードウェアで構成された同期処理部８に比べて動作が遅くなる可能性が高い。よって、比較例１の場合、切替部１６での出力信号の切り替えタイミングが、フレームレート制御部９が同期信号を必要とするタイミングよりも遅くなり、画質の低下が生じる可能性が生じる。
【００４９】
これに対して、本実施形態のようにハードウェアで構成された同期処理部８が用いられると、比較例１よりも時間的に早く、フレームレート制御部９に同期信号（出力同期信号ＶＳｙｎｃＯ）を出力することが可能になる。よって、本実施形態によれば、比較例１に比べて画質の低下を生じさせる可能性を低くできる。
【００５０】
＜比較例２＞
図６は、比較例２である画像処理装置１００Ｂを示した図である。図６において、図５に示したものと同一構成のものには同一符号を付してある。比較例２では、比較例１において個別に構成されていた画像変形部６とフレームレート制御部９が一体に構成されている。
【００５１】
画像処理装置１００Ｂでは、図５に示した画像処理装置１００Ａに比べて、メモリー４を用いる処理が少なくなっている。このため、画像処理装置１００Ｂ（比較例２）では、フレームレート制御部９が同期信号を必要とするタイミングが、画像処理装置１００Ａ（比較例１）に比べて早くなる。よって、比較例２では、比較例１よりも、切替部１６での出力信号の切り替えタイミングが、フレームレート制御部９が同期信号を必要とするタイミングよりも遅くなり、画質の低下が生じる可能性が高くなる。
【００５２】
これに対して、本実施形態のようにハードウェアで構成された同期処理部８が用いられると、比較例２よりも時間的に早く、フレームレート制御部９に同期信号（出力同期信号ＶＳｙｎｃＯ）を出力することが可能になる。よって、本実施形態によれば、比較例２に比べて画質の低下を生じさせる可能性を低くできる。
【００５３】
＜比較例３＞
図７は、比較例３である画像処理装置１００Ｃを示した図である。図７において、図５に示したものと同一構成のものには同一符号を付してある。比較例３では、個別に構成されていた画像処理部２と画像変形部６が、画像処理画像変形部１７に統合されている。
【００５４】
画像処理装置１００Ｃでは、図５に示した画像処理装置１００Ｂに比べて、メモリー４を用いる処理がさらに少なくなっている。このため、画像処理装置１００（比較例３）では、フレームレート制御部９が同期信号を必要とするタイミングが、画像処理装置１００Ｂ（比較例２）に比べて早くなる。このため、画像処理装置１００Ｃ（比較例３）では、比較例２よりも、切替部１６での出力信号の切り替えタイミングが、フレームレート制御部９が同期信号を必要とするタイミングよりも遅くなり、画質の低下が生じる可能性が高くなる。
【００５５】
これに対して、本実施形態のようにハードウェアで構成された同期処理部８が用いられると、比較例３よりも時間的に早く、フレームレート制御部９に同期信号（出力同期信号ＶＳｙｎｃＯ）を出力することが可能になる。よって、本実施形態によれば、比較例３に比べて画質の低下を生じさせる可能性を低くできる。
【００５６】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００５７】
＜変形例１＞
同期信号の周期性に関する値は、垂直同期信号ＶＳｙｎｃの周波数に限らず、適宜変更可能である。例えば、同期信号の周期性に関する値は、垂直同期信号ＶＳｙｎｃの周期でもよい。この場合、周波数計測部１０１の代わりに、垂直同期信号ＶＳｙｎｃの周期を計測し、周期の計測結果の平均値（周期の平均値）を算出する周期計測部が用いられる。また、設定部１０２は、周期の平均値に第１特定値を加算した値を用いて、判定期間Ｔの終了タイミングＴｅを決定し、周期の平均値から第２特定値を減算した値を用いて、判定期間Ｔの開始タイミングＴｓを決定する。なお、第１特定値および第２特定値は、例えば不図示のレジスターに事前に格納されている。
【００５８】
＜変形例２＞
信号出力部１０３は、消失情報Ｄを出力しなくてもよい。
【００５９】
＜変形例３＞
画像変形部６とフレームレート制御部９は、図１に示したように一体に構成されてもよいし、図５に示したように個別に構成されてもよい。また、画像処理部２と画像変形部６は、図１に示したように個別に構成されてもよいし、図７に示したように画像処理画像変形部１７として統合されてもよい。また、画像処理部２と画像変形部６とフレームレート制御部９は、図７に示したように一体に構成されてもよい。
【００６０】
＜変形例４＞
信号消失検出部１１とＣＰＵ１２と遅延部１０４は、それぞれ、省略されてもよい。遅延部１０４が省略された場合、出力同期信号ＶＳｙｎｃＯと消失情報Ｄは、信号出力部１０３からフレームレート制御部９に出力される。
【００６１】
＜変形例５＞
フレームレート制御部９の前段に、画像変形部６ではなく、画像処理部２が設けられてもよい。この場合、画像変形部６は省略されてもよい。
また、画像変形部６ではなく、画像処理部２が省略されてもよい。
【００６２】
＜変形例６＞
判定期間Ｔとして、期間Ｔ１（図３参照）が用いられてもよい。この場合、期間Ｔ２を省略できるので、設定部１０２は、平均値Ａに第２所定値を加算する必要はなく、第２所定値を省略することが可能になる。
【００６３】
＜変形例７＞
メモリー（フレームメモリー）４は、画像処理部２によって用いられる部分（フレームメモリー）と、画像変形部６によって用いられる部分（フレームメモリー）とに、物理的に別個に分けられてもよい。
【００６４】
＜変形例８＞
設定部１０２に、垂直同期信号ＶＳｙｎｃの周波数に対応する基準周波数を示す情報が設定され、設定部１０２は、この基準周波数を、周波数計測部１０１が出力する平均値Ａの代わりに用いてもよい。この場合、周波数計測部１０１を省略することが可能になる。
【００６５】
＜変形例９＞
表示装置としてプロジェクターが用いられたが、表示装置はプロジェクターに限らず適宜変更可能である。例えば、表示装置は、直視型のディスプレイ（液晶ディスプレイ、有機ＥＬ（Electro Luminescence）ディスプレイ、プラズマディスプレイ、ＣＲＴ（陰極線管）ディスプレイ等）であってもよい。この場合、図４に示した投射部２００の代わりに直視型の表示部が用いられる。
【符号の説明】
【００６６】
１…入力部、２…画像処理部、３…メモリー書込み部、４…メモリー、５…メモリー読出し部、６…画像変形部、７…メモリー書込み部、８…同期処理部、９…フレームレート制御部、１０…メモリー読出し部、１１…信号消失検出部、１２…ＣＰＵ、１０１…周波数計測部、１０２…設定部、１０３…信号出力部、１０４…遅延部。
【図１】
2018157348.tif 000003
【図２】
2018157348.tif 000004
【図３】
2018157348.tif 000005
【図４】
2018157348.tif 000006
【図５】
2018157348.tif 000007
【図６】
2018157348.tif 000008
【図７】
2018157348.tif 000009